(57)【要約】【課題】趣あるカバーを容易確実に備えさせて効果的に用い得る照明装置。【解決手段】光源２０を備えるボックス状体１０の下面開口１１に組み付けられるカバー３０が、並設されている化粧角材３１の両端部の段部３１ａに幅側の一方側を載せかけ止着されて該化粧角材３１を連結する一対の細長状板材３２、３２を備える複数個のカバー構成単体３０’で構成してあり、その細長状板材３２の一方端が化粧角材３１の側面３１ｄと同面とし、他方端部が化粧角材３１の側面３１ｄから各化粧角材３１間の間隙幅に相当する突き出し幅で突き出す間隔保持部３２’としてあり、ボックス状体１０の開口縁の内鍔１４上に該細長状板材３２の幅側の他方側を載せかけ、細長状板材３２の端面３２ｄ’と、細長状板材３２の端面３２ｄ”とを突き当ててボックス状体１０に組み付けて構成する。【選択図】図１
0003126990.tif 000002
【実用新案登録請求の範囲】
【請求項１】
下面開口のボックス状体と、このボックス状体内に備えられる光源と、このボックス状体の矩形をなす開口に組み込まれるカバーとを備える照明装置であって、
前記ボックス状体が、開口縁に内鍔を備えており、
前記カバーが、両端部の上部側に切り欠き状載せかけ段部を備えて、等間隔毎に並設されている化粧角材と、 この並設されている化粧角材における両端部の各載せかけ段部に対して、それぞれ幅側の一方側を載せかけるように止着されて該化粧角材を連結している一対の細長状板材とを備える複数個のカバー構成単体で構成してあり、
このカバー構成単体における細長状板材の一方端が該カバー構成単体の一方側にある化粧角材の側面と同面としてあり、かつ、他方端部が当該カバー構成単体の他方側にある化粧角材の側面から各化粧角材間の間隙幅に相当する突き出し幅で突き出す間隔保持部としてあって、
当該カバー構成単体を、前記ボックス状体の開口縁の内鍔上に該細長状板材の幅側の他方側を載せかけ、かつ、該一つのカバー構成単体の細長状板材における化粧角材の側面と同面をなす端面と、該カバー構成単体に隣り合う他のカバー構成単体の細長状板材における間隔保持部の端面とを突き当ててボックス状体に組み付けてあることを特徴とする照明装置。
【請求項２】
前記光源が前記化粧角材に直交する向きに備えられている長尺状光源であることを特徴とする請求項１に記載の照明装置。
【請求項３】
前記化粧角材の断面形状が直角四辺形であることを特徴とする請求１又は請求項２に記載の照明装置。
【請求項４】
前記化粧角材の断面形状が正四角形としてあり、この化粧角材の幅と隣り合う前記化粧角材間の間隙幅とを等幅にしてあることを特徴とする請求項１、請求項２又は請求項３に記載の照明装置。
【考案の詳細な説明】
【技術分野】
【０００１】
この考案は、和風の趣のある照明装置によって柔らかい照明効果を居住空間等にもたらし得るようにした照明装置を簡易に構成提供するものである。
【背景技術】
【０００２】
天井に備え付けの各種の照明装置類は、照明対象空間の大きさに対応した照度を備えるものとして用意され、照明対象空間で要請される各種の意匠的特性を備えるように構成される。
【０００３】
一般に、天井面に固有の広がりをもたらすように、蛍光灯などの光源を扁平なアクリル製のグローブ等で覆って天井照明装置を構成することが汎用的になされている。
【０００４】
かかるアクリル製グローブを用いた照明装置にあっては、天井面に面的な広がりをもって備えられている各種光源を当該アクリル製グローブによって面的に覆って、光源が直視されるのを避けると共に、当該光源に生じた光線を効率良く照明対象空間にもたらすことができる。
【０００５】
しかしながら、住空間における照明の質は、住空間の快適性を維持する上で極めて重要であって、照明空間に、必要とされる照度がもたらされ、かつ、その、もたらされる照明光が居住者に都合の良いものであることが要請されている。
【０００６】
かかる点から、光源とこの光源を覆う笠とを備える照明器具であって、互いに平行で、間隔を隔てて一列に配列された複数の柱状部材が、互いに略同一寸法で、長手方向に対して直交する断面輪郭形状を正三角形に形成してあり、隣接する柱状部材の斜辺が隙間を隔てて互いに対向し、かつ、その正三角形の一辺を配列ピッチとして等間隔に配列してある格子構造を前記笠が備える照明器具が提案されている（例えば、特許文献１）。
【０００７】
【特許文献１】特開２００３−３１４１５６号公報
【考案の開示】
【考案が解決しようとする課題】
【０００８】
かかる特許文献１に示される照明器具は、光源を覆う笠によって当該光源からの光が、隣接する柱状部材の対向する斜辺によって反射されながら、笠の外側へ導かれるため、広い範囲を対象として照明でき、しかも、隣接する柱状部材の対向する斜辺の隙間による通風効果によって、光源からの放熱が期待できると共に、柱状部材の遮蔽効果によって、光源が直接目に入らない旨、記載されている。
【０００９】
しかしながら、係る照明器具における笠の格子構造は、この格子構造に対面した際に、縦向き、あるいは横向きの縞文様として眼に写り、格子構造に特有の奥行き感を生ずることがなく、平板な意匠的外観を呈する傾向にある。
【００１０】
また、かかる照明器具にあっては、備え付けられる照明器具の大きさに対応して柱状部材を逐一増設することが煩わしく、多くの作業手間が必要とされる。
【００１１】
この考案に係る照明装置は、照明装置を構成するボックス状体の下面開口に備えられるカバーにおける化粧角材によって光源との間に特有の奥行き感を備え、しかも、設置される照明装置の大きさに対して容易に追随して化粧角材を備えるカバーを構成し得る構成の照明装置の提供を目的としている。
【課題を解決するための手段】
【００１２】
前記課題を達成するために、下面開口のボックス状体と、このボックス状体内に備えられる光源と、このボックス状体の矩形をなす開口に組み込まれるカバーとを備える照明装置であって、
前記ボックス状体が、開口縁に内鍔を備えており、
前記カバーが、両端部の上部側に切り欠き状載せかけ段部を備えて、等間隔毎に並設されている化粧角材と、 この並設されている化粧角材における両端部の各載せかけ段部に対して、それぞれ幅側の一方側を載せかけるように止着されて該化粧角材を連結している一対の細長状板材とを備える複数個のカバー構成単体で構成してあり、
このカバー構成単体における細長状板材の一方端が該カバー構成単体の一方側にある化粧角材の側面と同面としてあり、かつ、他方端部が当該カバー構成単体の他方側にある化粧角材の側面から各化粧角材間の間隙幅に相当する突き出し幅で突き出す間隔保持部としてあって、
当該カバー構成単体を、前記ボックス状体の開口縁の内鍔上に該細長状板材の幅側の他方側を載せかけ、かつ、該一つのカバー構成単体の細長状板材における化粧角材の側面と同面をなす端面と、該カバー構成単体に隣り合う他のカバー構成単体の細長状板材における間隔保持部の端面とを突き当ててボックス状体に組み付けてあることを特徴とする照明装置としてある。
【００１３】
このように構成される照明装置にあっては、この化粧角材の厚さに相当する重厚さをカバーにもたらし、この重厚なカバーの内奥に光源を備えるボックス状体を構成することで奥行き感の強調された照明装置を構成することができる。
【００１４】
また、照明装置に備え付けられる光源の光りは、前記化粧角材間から直射される一部の照射光を除いて、その殆どが当該化粧角材やボックス状体内において一旦反射された後に、当該化粧角材間から住空間側に照射され、この反射照射光と前記直射光とが、当該それぞれの化粧角材間から住空間側に向けて一定の照射角範囲内で、照射され、複数の化粧角材間からの当該照射光が重なり合って照射面を照射するように機能する。
【００１５】
また、ボックス状体の開口縁の内鍔上に、各カバー構成単体の細長状板材端相互を突き合わせるように、該細長状板材における幅側の他方側、すなわち、化粧角材の載せかけ段部に載せ掛けられていない側を載せ掛けることで、ボックス状体にカバー構成単体を連続するように構成することができ、照明装置を容易かつ確実に構成することができる。
【００１６】
また、カバー構成単体を連続させてボックス状体に組み付け、当該ボックス状体の下面開口を塞ぐカバーとする際に、この各カバー構成単体における細長状板材の各突き合わせを化粧角材における側面でなす構成としあり、下方から当該細長状板材の突き合わせ縁を識別し難い構成としてある。
【００１７】
また、前記構成に係る照明装置にあって、前記光源を前記化粧角材に直交する向きに備えられている長尺状光源とした照明装置にあっては、前記特長に併せて、重厚な厚みを備えるカバーの内側に、奥行き感のある光源空間を、より確実に作り出すことができる。
【００１８】
また、前記構成に係る照明装置にあって、化粧角材の断面形状を直角四辺形とした照明装置にあっては、前記特長に併せて、更に、重厚な厚み感を有し、しかも、均一な柔らかい照明を住空間にもたらすことができる。
【００１９】
また、前記構成に係る照明装置にあって、前記化粧角材の断面形状が正四角形としてあり、この化粧角材の幅と隣り合う前記化粧角材間の間隙幅とを等幅にした照明装置にあっては、前記特長に併せて、更に、重厚な厚み感を備える整然としたカバーとされ、しかも、均一な柔らかい照明を住空間にもたらすことができる。
【考案の効果】
【００２０】
この考案にかかる照明装置は、直接照明と間接照明とにより各種行動に都合のよい照明空間を作り出し得る利点を有し、また、装置におけるカバーを重厚感に溢れたものとし、しかも、このカバーの内側に奥行き感のある光源空間を構成できる利点を有している。
【考案を実施するための最良の形態】
【００２１】
以下、図１〜図５に基づいて、この考案を実施するための最良の形態に係る照明装置Ａについて説明する。
【００２２】
なお、ここで図１〜図５は当該考案を実施するための最良の形態に係る典型的な照明装置Ａを示しており、図１では、当該照明装置Ａを構成するボックス状体１０とカバー３０とを分離して、これを斜め下側から見て、また、図２では、この照明装置Ａを天井部分に組み付け、これを短幅側で切断して、側方から見て、図３では、更に、これを長手側で切断して他の側から見て示している。図４では、この照明装置Ａに用いられるカバー３０を下方から見て、図５では、当該カバー３０を構成する各カバー構成単体３０’の組み付け部分を拡大して斜め上方から見て示している。
【００２３】
この考案を実施するための最良の形態に係る照明装置Ａは、下面開口１１のボックス状体１０と、このボックス状体１０内に備えられる光源２０と、このボックス状体１０の矩形をなす開口１１に組み込まれるカバー３０とを備える照明装置Ａであって、
前記ボックス状体１０が、開口縁に内鍔１４を備えており、
前記カバー３０が、両端部の上部側に切り欠き状載せかけ段部３１ａを備えて、等間隔毎に並設されている化粧角材３１と、 この並設されている化粧角材３１における両端部の各載せかけ段部３１ａに対して、それぞれ幅側の一方側を載せかけるように止着されて該化粧角材３１を連結している一対の細長状板材３２、３２とを備える複数個のカバー構成単体３０’で構成してあり、
このカバー構成単体３０’における細長状板材３２の一方端が該カバー構成単体３０’の一方側にある化粧角材３１の側面３１ｄと同面としてあり、かつ、他方端部が当該カバー構成単体３０’の他方側にある化粧角材３１の側面３１ｄから各化粧角材３１間の間隙幅に相当する突き出し幅で突き出す間隔保持部３２’としてあって、
当該カバー構成単体３０’を、前記ボックス状体１０の開口縁の内鍔１４上に該細長状板材３２の幅側の他方側を載せかけ、かつ、該一つのカバー構成単体３０’の細長状板材３２における化粧角材３１の側面３１ｄと同面をなす端面３２ｄ’と、該カバー構成単体３０’に隣り合う他のカバー構成単体３０’の細長状板材３２における間隔保持部３２’の端面３２ｄ”とを突き当ててボックス状体１０に組み付けて構成してある。
【００２４】
なお、前記照明装置Ａを構成する下面開口１１のボックス状体１０は、当該ボックス状体１０内に光源２０を配設し、かつ、下面開口１１に矩形のカバー３０を組み付けて照明機能を備えるものであれば、いかなる形態に構成してあっても、また、いかなる素材によって構成してあってもよい。
【００２５】
また、かかる下面開口１１のボックス状体１０は、これを、プラスチック成形等によって一体のものとして構成してあっても、また、複数部材を組み付けて構成してあっても、更に、現場において組み付け構成するようにしてあってもよい。
【００２６】
また、この照明装置Ａにおけるボックス状体１０内に組み付けられる光源２０は、照明対象物に求められる照明効果を生ずるものであれば、いかなる種類の光源であっても、また、いかなる形状の光源であってもよい。
【００２７】
また、カバー３０を構成する複数個のカバー構成単体３０’は、前記ボックス状体１０の矩形をなす下面開口１１に納め入れの状態で、当該開口１１を塞ぐ形態を整えておれば、いかなる素材によって構成してあっても、また、いかなる形状に構成してあってもよい。
【００２８】
かかるカバー構成単体３０’は、両サイドに一対の細長状板材３２、３２を備え、この平行に備えられている細長状板材３２、３２間にわたるように複数の化粧角材３１、３１、３１…を組み付けて、いわゆる格子状の枠体として構成してある。
【００２９】
かかるカバー構成単体３０’は、より具体的には、等間隔かつ平行に並設されている複数本の化粧角材３１と、この化粧角材３１の両端部の上部側に切り欠き状態に設けられている載せかけ段部３１ａに対して上側から載せ掛け、止着されて当該各化粧角材３１を一体的に連結する一対の平行な細長状板材３２とで構成してあれば、いかなる材であっても、また、いかなる形状の材であってもよい。
【００３０】
また、かかるカバー構成単体３０’の化粧角材３１は、等間隔で、平行に設置されており、その両側部の上部側に切り欠き状態の載せかけ段部３１ａを備えるものであれば、いかなる素材によって構成してあっても、また、いかなる態様に構成してあってもよい。
【００３１】
また、この複数の化粧角材３１を並設状態に組み付ける細長状板材３２は、その幅側における一方側を前記載せかけ段部３１ａに載せ掛けた状態で化粧角材３１に止着されており、かつ、当該幅側の他方側を側方に向けて鍔状に突き出す構成としてあって、この側方に突き出された鍔状部分を、前記ボックス状体１０の開口縁に備えられている内鍔１４上に載せ掛け得る構成としてあれば、いかなる素材によって構成してあっても、また、いかなる態様に構成してあってもよい。
【００３２】
このように構成される照明装置Ａにあっては、この化粧角材３１の厚さに相当する重厚さをカバー３０にもたらし、この重厚なカバー３０の内奥に光源２０を備えるボックス状体１０を構成することで奥行き感の強調された照明装置Ａを構成することができる。
【００３３】
また、照明装置Ａに備え付けられる光源２０の光りは、前記化粧角材３１、３１間から直射される一部の照射光を除いて、その殆どが当該化粧角材３１やボックス状体１０内において一旦反射された後に、当該化粧角材３１、３１間から住空間側に照射されており、この反射照射光と前記直射光とが、当該それぞれの化粧角材３１間から住空間側に向けて一定の照射角範囲内で、照射され、複数の化粧角材３１間からの当該照射光が重なり合って照射面を照射するように機能する。
【００３４】
また、ボックス状体１０の開口縁の内鍔１４上に、各カバー構成単体３０’の細長状板材３２の側端面３２ｄ相互を突き合わせるように、該細長状板材３２における幅側の他方側、すなわち、化粧角材３１の載せかけ段部３１ａに載せ掛けられていない側を載せ掛けることで、ボックス状体１０にカバー構成単体３０’を連続させるように設けてカバー３０を構成することができ、照明装置Ａを容易かつ確実に構成することができる。
【００３５】
また、カバー構成単体３０’を連続させてボックス状体１０に組み付け、当該ボックス状体１０の下面開口１１を塞ぐカバー３０とする際に、この各カバー構成単体３０’における細長状板材３２の各側端面３２ｄの突き合わせを、化粧角材３１における側面３１ｄと同一の仮想の面においてなすように構成しある。かかる構成から当該細長状板材３２の各側端面３２ｄの突き合わせ縁が、細長状板材３２，３２相互の突き合わせ縁として認識し難く、細長状板材３２に組み付けられている化粧角材３１の側面３１ｄと認識され、細長状板材３２が途中で接続されているとの違和感をもたらすことがない。
【００３６】
また、前記構成に係る照明装置Ａにあって、前記光源２０を前記化粧角材３１に直交する向きに備えられている長尺状光源２０とした照明装置Ａでは、重厚な厚みを備えるカバー３０の内側に、奥行き感のある光源空間を、より確実に作り出すことができる。
【００３７】
また、前記構成に係る照明装置Ａにあって、化粧角材３１の断面形状を直角四辺形とした照明装置Ａでは、更に、重厚な厚み感を有し、しかも、均一な柔らかい照明を住空間にもたらすことができる。
【００３８】
また、前記構成に係る照明装置Ａにあって、化粧角材３１の断面形状を正四角形とし、この化粧角材３１の幅と隣り合う前記化粧角材３１，３１間の間隙幅、すなわち、隣り合う化粧角材３１、３１の各側面３１ｄ間の間隔とを同一寸法に構成した照明装置Ａでは、更に、重厚な厚み感を備える整然としたカバー３０とし、しかも、更に、均一な柔らかい照明を住空間にもたらすことができる。
【００３９】
ついで、図１〜図５に示される典型的な照明装置Ａを具体的に説明する。
【００４０】
この図１〜図５に示される照明装置Ａは、下面開口１１のボックス状体１０と、このボックス状体１０内に備えられる光源２０と、このボックス状体１０の矩形をなす開口１１に組み込まれるカバー３０とを備える照明装置Ａであって、
前記ボックス状体１０が、開口縁に内鍔１４を備えており、
前記カバー３０が、両端部の上部側に切り欠き状載せかけ段部３１ａを備えて、等間隔毎に並設されている化粧角材３１と、 この並設されている化粧角材３１における両端部の各載せかけ段部３１ａに対して、それぞれ幅側の一方側を載せかけるように止着されて該化粧角材３１を連結している一対の細長状板材３２、３２とを備える複数個のカバー構成単体３０’で構成してあり、
このカバー構成単体３０’における細長状板材３２の一方端が該カバー構成単体３０’の一方側にある化粧角材３１の側面３１ｄと同面としてあり、かつ、他方端部が当該カバー構成単体３０’の他方側にある化粧角材３１の側面３１ｄから各化粧角材３１間の間隙幅に相当する突き出し幅で突き出す間隔保持部３２’としてあって、
当該カバー構成単体３０’を、前記ボックス状体１０の開口縁の内鍔１４上に該細長状板材３２の幅側の他方側を載せかけ、かつ、該一つのカバー構成単体３０’の細長状板材３２における化粧角材３１の側面３１ｄと同面をなす端面３２ｄ’と、該カバー構成単体３０’に隣り合う他のカバー構成単体３０’の細長状板材３２における間隔保持部３２’の端面３２ｄ”とを突き当ててボックス状体１０に組み付けて構成してある。
【００４１】
ここで天井に組み付けられるボックス状体１０は、鋼板、アルミ板等の金属製、プラスチック製、木製、これらの複合素材等、適宜の素材で構成してあり、この図示例にあっては、平面視で長方形状をなし、かつ、下面開口１１のボックス状としてある。例えば、当該ボックス状体１０を、真樺などの樺材、楓材、桂材、ぶな材、楢材、楡材等の広葉樹材で構成することで、柔らかい反射光をもたらすボックス状体１０とすることができる。
【００４２】
すなわち、長方形状をなす上板１３と、当該上板１３の各縁から下方に垂設するように一連に連続して備えられている互いに向きあっている２組の側板１２、すなわち向き合っている一対の長手側面板１２ａ、１２ａと短手側面板１２ｂ、１２ｂとで、直方体形状の、しかも、下面開口１１のボックス状体１０が構成してある。
【００４３】
かかるボックス状体１０における長手側面板１２ａに平行に照明装置Ａにおける光源２０をなす蛍光灯２１の管２１ａを備え付け得るように長手方向の両側部にソケット２１ｂを、該ボックス状体１０の短手側に所定間隔を離して並設し、この各ソケット２１ｂに蛍光灯２１の管２１ａを装脱可能に装着し得るようにしてある。なお、この図示例にあっては、対をなすソケット２１ｂを連結板２１ｂ’で一連に連続したソケットとして構成してあるが、いかなる形態のソケットであってもよい。
【００４４】
また、このボックス状体１０の下面開口１１には、カバー３０を取り付けるための内鍔１４が設けてある。この内鍔１４は、典型的には、ボックス状体１０における長手側面板１２ａの下端縁から内側に向けて水平に突き出す態様に設けてあり、この互いに向き合っている各長手側面板１２ａから突設されている一対の内鍔１４上に、カバー構成単体３０’における細長状板材３２の突き出し載せ掛け面を載せ掛けて、組み付け得るようにしてあり、外観体裁を整える趣旨と、カバー構成単体３０’の両端部をボックス状体１０内にすっきりとした態様で納め入れる趣旨から、このボックス状体１０における短手側面板１２ｂ、１２ｂの下端縁からも前記内鍔１４に一連に連続するように内鍔１４を設けてあり、カバー構成単体３０’における細長状板材３２の側端部分を納め入れ得る構成としてある。
【００４５】
かかるボックス状体１０の下面開口１１に備えられるカバー３０は、化粧角材３１を細長状板材３２で連結したカバー構成単体３０’の組み付けによって、概ね格子枠状に構成してある。
【００４６】
このカバー構成単体３０’を構成する化粧角材３１は、各種の天然木材、集成材、各種複合材等の適宜の素材で構成されており、いわゆる角材によって構成されている。この図示例にあっては、かかる角材のうちにあって、特に、外観体裁のよい断面形状が正四角形の角材が用いられており、各種の材にあって、例えば、反射光の柔らかい、真樺などの樺材、楓材、かつら材、ぶな材、なら材、にれ材などの広葉樹材を用いて構成する。
【００４７】
ここで用いられる化粧角材３１は、その両側端部の上部側に切り欠き状態で載せかけ段部３１ａを設けてある。この化粧角材３１に備えられる載せかけ段部３１ａは、化粧角材３１の上面３１ｂから直角に下面３１ｃ側に向けて垂設状態に備えられる垂直面３１ａ’と、この垂直面３１ａ’の下端から化粧角材３１の側端面３１ｅに到る前記上面３１ｂと下面３１ｃとに平行な平坦面３１ａ”とを備えて構成してあり、この載せかけ段部３１ａの先端面をなす化粧角材３１の側端面３１ｅが当該化粧角材３１における上面３１ｂ、下面３１ｃ、側面３１ｄに直交する向きの面として構成してある。
【００４８】
また、このカバー構成単体３０’を構成する化粧角材３１にあって、当該カバー構成単体３０’の両側に位置する化粧角材３１には、前記垂直面３１ａ’から平坦面３１ａ”に平行で、かつ、前記側端面３１ｅを含む仮想の面を先端面とするほぞ３１ｆが突設してある。この図示例にあっては、前記垂直面３１ａ’の横幅の全幅にわたる横幅で、かつ、載せかけ段部３１ａの当該垂直面３１ａ’からの出寸法と同寸の出寸法をなす厚板状のほぞ３１ｆとしてあり、該垂直面３１ａ’の中間よりやや高い位置から突き出し状に設けてある。
【００４９】
このように等間隔毎に平行に備えられている照明装置Ａの化粧角材３１は、典型的には、その両側部の載せかけ段部３１ａに細長状板材３２を載せ掛け、かつ、これに止着してあって、この細長状板材３２、３２を両側部に備えて各化粧角材３１が連結されて一体のカバー構成単体３０’を構成するようにしてある。また、この図示例に係る細長状板材３２は、カバー構成単体３０’の両側に備えられる化粧角材３１におけるほぞ３１ｆに対応する位置にほぞ穴３２ｅと、ほぞ溝３２ｆとを備えており、このほぞ穴３２ｅ、ほぞ溝３２ｆにほぞ３１ｆを差し入れた状態で当該細長状板材３２を載せかけ段部３１ａに載せかけてあり、当該細長状板材３２に対して各化粧角材３１が止着してある。
【００５０】
この化粧角材３１に止着される細長状板材３２は、その幅側の一方側を該化粧角材３１の載せかけ段部３１ａに載せ掛けられて接着等適宜の手段で一体とされており、この化粧角材３１に載せかけられている側を除いて、当該載せかけ段部３１ａから側方に突き出している細長板材部分を、前記内鍔１４に対する引っ掛け面としてある。
【００５１】
この図示例にあっては、前記化粧角材３１が、正方形断面の角材としてあり、上下方向の二分の一位置に前記載せかけ段部３１ａの平坦面３１ａ”が位置づけられ、しかも、この載せかけ段部３１ａにおける平坦面３１ａ”の奥行き幅が当該載せかけ段部３１ａの上面からの落ち込み寸法に等しい寸法、すなわち、当該化粧角材３１の各面における面幅の二分の一となるようにしてある。
【００５２】
また、この図示例にあっては、細長状板材３２が、その幅寸法を化粧角材３１における各面の面幅と等しく構成してあると共に、その板厚を前記載せかけ段部３１ａにおける垂直面３１ａ’の上下幅と等しい寸法、すなわち、化粧角材３１における各面の面幅の二分の一の寸法に構成してある。かかる細長状板材３２は、木材や木材以外の各種の材で構成することができ、例えば、反射光の柔らかい、真樺などの樺材、楓材、かつら材、ぶな材、なら材、にれ材などの広葉樹材で構成する。
【００５３】
また、この図示例にあっては、両端に細長状板材３２、３２を備えて並設される各化粧角材３１間の間隔を、当該化粧角材３１の各面の幅寸法に等しい寸法としてある。
【００５４】
また、この細長状板材３２の一方端の端面３２ｄ’を該カバー構成単体３０’の一方側にある化粧角材３１の側面３１ｄと同面としてあり、かつ、他方端部が当該カバー構成単体３０’の他方側にある化粧角材３１の側面３１ｄから各化粧角材３１間の間隙幅に相当する突き出し幅で突き出す間隔保持部３２’としてある。
【００５５】
かかる細長状板材３２における端面３２ｄ’から、当該細長状板材３２における全幅にわたり、しかも、前記ほぞ３１ｆの幅に相当する深さのほぞ溝３２ｆが当該ほぞ３１ｆを密に受け入れ得るように設けてあり、また、当該細長状板材３２の間隔保持部３２’に連続する細長状板材３２部分に当該細長状板材３２を幅方向に貫通するほぞ穴３２ｅを設けてあり、このほぞ穴３２ｅにほぞ３１ｆを密に嵌め入れ得るように当該ほぞ穴３２ｅを前記ほぞ３１ｆの横幅に相当する幅で、かつ、当該ほぞ３１ｆの厚さに相当する高さを備える構成としてある。
【００５６】
より具体的には、前記化粧角材３１を断面が３０ｍｍ×３０ｍｍの角材とし、細長状板材３２を断面が３０ｍｍ×１５ｍｍとし、化粧角材３１の側端部に備えられる載せかけ段部３１ａを化粧角材３１の上面３１ｂから幅３０ｍｍで、１５ｍｍ下がる垂直面３１ａ’と、これに連続して当該載せかけ段部３１ａを構成する幅３０ｍｍで、側端面３１ｅから１５ｍｍ入り込む平坦面３１ａ”として構成してあると共に、この載せかけ段部３１ａに幅寸法が３０ｍｍで１５ｍｍ厚の細長状板材３２を、その幅方向から載せ掛けて、該細長状板材３２の側面３２ｃを前記垂直面３１ａ’に密着させるように平坦面３１ａ”に該細長状板材３２の下面３２ｂにおける幅方向の１５ｍｍ相当の面を密着させて、両者を接着してある。
【００５７】
なお、カバー構成単体３０’の両側に備えられる化粧角材３１に対する細長状板材３２の載せかけに際して、この両側にある化粧角材３１におけるほぞ３１ｆを当該細長状板材３２のほぞ穴３２ｅ及びほぞ溝３２ｆに受け入れるようにして
載せかけるようになし、この載せかけた細長状板材３２で各化粧角材３１を連結するように止着してある。
【００５８】
このようにして構成されるカバー構成単体３０’にあっては、平行に並設されている化粧角材３１の各長手側端部を連絡するように細長状板材３２が備えられ、しかも、この細長状板材３２の上面３２ａと化粧角材３１の上面３１ｂとが面一とされた状態で、各化粧角材３１の側端面３１ｅから細長状板材３２が、その幅側部分を１５ｍｍほど突き出させ、かつ、この細長状板材３２の下面３２ｂと化粧角材３１の下面３１ｃとの間を１５ｍｍとして、前記内鍔１４を備えて構成されるカバー３０の取付部を受け入れ得る凹部を構成してある。
【００５９】
このように構成されるカバー構成単体３０’は、前記ボックス状体１０内において都合良くカバー３０を構成し得るように、前記化粧角材３１に備えられる細長状板材３２の一方端部を前記載せかけ段部３１ａに載せかけた状態で当該細長状板材３２の端面３２ｄ’が化粧角材３１の側面３１ｄと同面をなすように構成してあり、また、他方端部を化粧角材３１の側面３１ｄから側方に向けて当該化粧角材３１、３１間の間隙幅、すなわち、この図示例にあっては、化粧角材３１の各面の面幅に相当する突き出し幅、例えば、前記具体例にあっては、３０ｍｍの突き出し寸法の間隔保持部３２’としてある。
【００６０】
かかる構成からなるカバー構成単体３０’を、前記ボックス状体１０に納め入れた状態でカバー構成単体３０’相互の細長状板材３２における端面３２ｄ’、３２ｄ”が突き付けとなるように組み入れてあり、各カバー構成単体３０’の互いに向き合う化粧角材３１間に、当該化粧角材３１、３１間における間隙と同一の間隙、この図示例にあっては、当該化粧角材３１の面幅に相当する空間を構成することができる。
【００６１】
なお、この図示例にあっては、ボックス状体１０における内鍔１４の出寸法を開口１１の各辺においてほぼ均一に設けたことから、ボックス状体１０における内鍔１４に載せかけられるカバー構成単体３０’における間隔保持部３２’を、当該内鍔１４の張出寸法に見合うように、例えば、当該内鍔１４に載せかけられる間隔保持部３２’の出寸法を内鍔１４に載せかけられる細長状板材３２における幅側の載せかけ面の載せかけ幅に相当する寸法となるように図４におけるＹ−Ｙ位置でカットして用いるようにしてある。
【００６２】
このように構成されるカバー構成単体３０’における化粧角材３１の側端面３１ｅが、前記ボックス状体１０の内鍔１４の内側に都合良く納まり、かつ、細長状板材３２の外側の側面３２ｃがボックス状体１０の互いに向き合う長手側面板１２ａ、１２ａ間に都合良く納まるように構成してある。また、この図示例にあっては、ボックス状体１０に組み入れられたカバー構成単体３０’における化粧角材３１の側面３１ｄが内鍔１４に都合よく接するように組み込まれている。
【００６３】
更に、この、図示例にあっては、ボックス状体１０の内鍔１４と当該内鍔１４の取付用下地材４１及び天井板４２とのなす厚さ寸法を、前記カバー構成単体３０’の細長状板材３２の下面３２ｂと化粧角材３１の下面３１ｃとの間に、これらが都合良く納まり得るように１５ｍｍとしてあり、カバー３０における化粧角材３１の下面３１ｃが天井板４２に面一状態で組み付け得るように構成してある。
【００６４】
このように構成されるボックス状体１０を適宜の手法、例えば、野縁４０等を用いて天井部分に組み付けるようになすと共に、内鍔１４の下方に下地材４１を介して天井板４２を張り込んで、開口１１を構成し、このボックス状体１０内に、当該開口１１を用いて前記ソケット２１ｂに蛍光灯２１の管２１ａを取り付け、ついで、前記カバー構成単体３０’を、例えば、このカバー構成単体３０’における細長状板材３２の長手側の側部をボックス状体１０の内鍔１４上に載せかけるように組み入れ、当該開口１１を塞ぎ切るまで、先のカバー構成単体３０’における細長状板材３２の側端面３２ｄに、次のカバー構成単体３０’における細長状板材３２の側端面３２ｄを突き合わせるように順次にカバー構成単体３０’を組み入れて開口１１を塞ぎ、照明装置として用いるようになす。
【００６５】
このように構成される照明装置Ａにあっては、光源２０が化粧角材３１、特に、矩形断面、更に典型的には、正方形断面をなす化粧角材３１によって覆われることとなり、この化粧角材３１間に構成される矩形断面、更に典型的には正方形断面の空間を介して照明装置Ａの光源２０の光線が照明空間に導かれる。この結果、照明空間には、間接照明効果に伴う柔らかい光線と直射光とが適度にもたらされ、快適な照明空間を構成することができる。
【００６６】
また、かかる照明装置Ａにあっては、カバー構成単体３０’のボックス状体１０に対する組み入れによって、容易かつ円滑にカバー３０で下面開口１１を塞ぐように備え付けることができる。また、この各カバー構成単体３０’の細長状板材３２相互の接合部分が化粧角材３１の側面３１ｄと同一の仮想面で突き合わされることから、この細長状板材３２相互の突き付け縁が目立たず、一連に連続する細長状板材３２を備えた意匠のカバー３０を備える照明装置Ａとすることができる。
【図面の簡単な説明】
【００６７】
【図１】典型的な照明装置の部品を分離して示す斜視図
【図２】同使用状態の幅方向における断面図
【図３】同使用状態の長手方向における断面図
【図４】同装置に用いられるカバーの底面図
【図５】同装置に用いられるカバー構成単体の要部斜視図
【符号の説明】
【００６８】
Ａ  照明装置
１０  ボックス状体
１１  下面開口
１４  内鍔
２０  光源
３０  カバー
３０’  カバー構成単体
３１  化粧角材
３１ａ  載せかけ段部
３２  細長状板材
【図１】
0003126990.tif 000003
【図２】
0003126990.tif 000004
【図３】
0003126990.tif 000005
【図４】
0003126990.tif 000006
【図５】
0003126990.tif 000007